(57)【要約】【課題】保守作業中、フェースプレートが開放された状態が安定して保持されないので、エレベータのかご操作盤の保守作業性が悪い等の問題点があった。【解決手段】この発明に係るエレベータのかご操作盤は、フェースプレート２をかご室２０の内側に引き出すとともにフェースプレート２を回動させて開口部を開閉するヒンジ機構部５と、フェースプレート２の裏面に設けられ開放されたフェースプレート２を保持する支持体５０と、この支持体５０の一端部に設けられた第１の蝶番５２と、この第１の蝶番５２に接続された第２の蝶番５３とを備え、支持体５０は、第２の蝶番５３でフェースプレート２の開放方向に１８０度回動し、引き続き同じ方向に第１の蝶番５２で９０度回動して、先端部が側面壁２５に当接するようになっている。【選択図】図９
2012166919.tif 000002
【特許請求の範囲】
【請求項１】
かご室を画成する壁に埋設され開口部を有するボックスと、
このボックスの開口部を覆うフェースプレートとを有するエレベータのかご操作盤において、
前記フェースプレートの裏面と前記ボックスの内壁面との間に跨いで設けられ、フェースプレートを前記かご室の内側に引き出すとともにフェースプレートを回動させて前記開口部を開閉するヒンジ機構部と、
前記フェースプレートの前記裏面に設けられ開放されたフェースプレートを保持する支持体と、
前記支持体の一端部に設けられた第１の蝶番と、
この第１の蝶番に接続された第２の蝶番とを備え、
前記支持体は、前記第２の蝶番で前記フェースプレートの開放方向に回動し、引き続き同じ方向に前記第１の蝶番で回動して、先端部が前記壁に当接するようにしたことを特徴とするエレベータのかご操作盤。
【請求項２】
前記支持体は、前記第２の蝶番で１８０度回動し、前記第１の蝶番で９０度回動することを特徴とする請求項１に記載のエレベータのかご操作盤。
【請求項３】
前記支持体の他端部には、鋼板製の前記壁に吸着する磁石が設けられていることを特徴とする請求項１または２に記載のエレベータのかご操作盤。
【請求項４】
前記支持体と前記第１の蝶番とは、支持体の長手方向に延びた長穴を介して結合手段により結合されており、
前記結合手段の前記長穴に沿った移動により前記フェースプレートの開放角度が調整されることを特徴とする請求項１から３の何れか１項に記載のエレベータのかご操作盤。
【発明の詳細な説明】
【技術分野】
【０００１】
この発明は、かご室を画成する壁に埋設され開口部を有するボックスと、このボックスの開口部を覆うフェースプレートとを有するエレベータのかご操作盤に関するものである。
【背景技術】
【０００２】
エレベータのかご操作盤のフェースプレートは、保守作業時、フェースプレートの裏面側から取り付いている部品(ボタン、インジケータ等)、ボックス内部に収納されている部品の交換等をするために開閉することができるようになっている。
そして、エレベータのかご操作盤として、フェースプレートを一旦手前に引き出してから、フェースプレートに設けられているヒンジ機構部を支点にして、回転させることによりフェースプレートを開放し、保守作業を行うものが知られている（例えば、特許文献１参照）。
【０００３】
また、エレベータのかご操作盤の他の例として、フェースプレートを一旦手前に引き出してから横方向にスライド移動させることにより、フェースプレートを開放し、保守作業を行うものが知られている（例えば、特許文献２参照）。
【先行技術文献】
【特許文献】
【０００４】
【特許文献１】特開２００１-２４０３４５号公報
【特許文献２】特開２００５-８３０２号公報
【発明の概要】
【発明が解決しようとする課題】
【０００５】
しかしながら、上記特許文献１に記載のエレベータのかご操作盤では、保守作業の間、フェースプレートが開放された状態が保持されないため、フェースプレートが不安定で、フェースプレート裏面側から交換する部品(ボタン、インジケータ等)の交換作業が円滑に進まず、またフェースプレートの端部が壁に衝突して壁を損傷させてしまうという問題点があった。
また、上記特許文献２に記載のエレベータのかご操作盤では、保守作業前にフェースプレートを横方向にスライドさせる必要があるため、スライド方向に可動スペースを設けなければならず、また可動スペース上に手摺を設けた場合、フェースプレートを開けることができなくなるといった問題点があった。
【０００６】
この発明は、かかる問題点を解決することを課題とするものであって、保守作業の間、フェースプレートが開放された状態が保持され、部品の交換作業性が向上するとともにフェースプレートの端部が壁に衝突して壁を損傷させるといった不都合も無く、またフェースプレートが壁に接近している場合でもフェースプレートを開放することができる等のエレベータのかご操作盤を得ることを目的とする。
【課題を解決するための手段】
【０００７】
この発明に係るエレベータのかご操作盤は、かご室を画成する壁に埋設され開口部を有するボックスと、このボックスの開口部を覆うフェースプレートとを有するエレベータのかご操作盤において、
前記フェースプレートの裏面と前記ボックスの内壁面との間に跨いで設けられ、フェースプレートを前記かご室の内側に引き出すとともにフェースプレートを回動させて前記開口部を開閉するヒンジ機構部と、
前記フェースプレートの前記裏面に設けられ開放されたフェースプレートを保持する支持体と、
前記支持体の一端部に設けられた第１の蝶番と、
この第１の蝶番に接続された第２の蝶番とを備え、
前記支持体は、前記第２の蝶番で前記フェースプレートの開放方向に回動し、引き続き同じ方向に前記第１の蝶番で回動して、先端部が前記壁に当接するようになっている。
【発明の効果】
【０００８】
この発明に係るエレベータのかご操作盤によれば、フェースプレートは、開放時には、支持体の先端部が壁に当接して安定しており、部品の交換作業性が向上するとともにフェースプレートの端部が壁に衝突して壁を損傷させるといった不都合も無く、またフェースプレートが壁に接近している場合でもフェースプレートを開放することができる。
【図面の簡単な説明】
【０００９】
【図１】この発明の実施の形態１のエレベータのかご操作盤が組み込まれたかご室の内部を示す正面図である。
【図２】図１のエレベータのかご操作盤を示す正面図である。
【図３】図２のＩＩＩ-ＩＩＩ線に沿った矢視断面図である。
【図４】図２のＩＶ-ＩＶ線に沿った矢視断面図である。
【図５】図２の支持体を示す斜視図である。
【図６】（ａ）は図５の支持体の平面図、（ｂ）は（ａ）の左側面図、（ｃ）は（ａ）の正面図である。
【図７】図３のフェースプレートがボックスから引き離されたときのエレベータのかご操作盤を示す断面図である。
【図８】図７のフェースプレートを９０度回転させたときのエレベータのかご操作盤を示す断面図である。
【図９】図８の支持体を１８０度回動し、引き続き９０度回動したエレベータのかご操作盤を示す断面図である。
【図１０】（ａ）はこの発明の実施の形態２のエレベータのかご操作盤の支持体を示す平面図、（ｂ）は（ａ）の左側面図、（ｃ）は（ａ）の正面図である。
【図１１】フェースプレートの開放角度が図１０の支持体により調整される前のエレベータのかご操作盤を示す断面図である。
【図１２】フェースプレートの開放角度が図１０の支持体により調整された後のエレベータのかご操作盤を示す断面図である。
【発明を実施するための形態】
【００１０】
以下、この発明の各実施の形態のエレベータのかご操作盤について図に基づいて説明するが、各図において、同一、または相当部材、部位については、同一符号を付して説明する。
【００１１】
実施の形態１．
図１はこの発明の実施の形態１のエレベータのかご操作盤１が組み込まれたかご室２０の内部を示す正面図、図２は図１のエレベータのかご操作盤１を示す正面図、図３は図２のＩＩＩ-ＩＩＩ線に沿った矢視断面図、図４は図２のＩＶ-ＩＶ線に沿った矢視断面図である。
エレベータのかご室２０は、天井２１と、かご床２２と、扉２３と、袖壁２４と、側面壁２５とを備えている。
エレベータのかご操作盤１は、内部に押ボタンスイッチ類が収納されたボックス３と、このボックス３の開口部を覆い押ボタンスイッチ類に対応する位置に複数の孔が形成されたフェースプレート２と、ボックス３の内側壁面に二箇所設けられ、フェースプレート２の回動によりボックス３を開閉するヒンジ機構部５と、フェースプレート２の裏面に設けられ開放されたフェースプレートを保持する支持体５０と、支持体５０の一端部に設けられた第１の蝶番５２と、この第１の蝶番に接続された第２の蝶番５３とを備えている。なお、符号４はかごの各情報を示すインジ部であるが、詳細は省略されている。
【００１２】
ヒンジ機構部５は、図４に示すように、回転軸５ａと、この回転軸５ａを中心に回動しフェースプレート２の裏面に面接合した第１の片部５ｂと、回転軸５ａに一端部が接続されボックス３の内側壁面に沿って摺動自在の第２の片部５ｃと、この第２の片部５ｃを覆ったコ字形状の板金で形成されたカバー６と、ボックス３の内側壁面に設けられカバー６から突出した第１の突起３ａと、この第１の突起３ａに螺着しカバー６を保持するナット７とを備えている。
ボックス３の開口部に向かって摺動可能は第２の片部５ｃは、図３に示すように、下端面に切り欠き５ｄが形成され、またボックス３の底面側に突出したストッパ５ｅが形成されている。第２の片部５ｃは、下端面が第１の突起３ａに自重で常に当接しており、フェースプレート２は、かご室２０の内側に引き出される際には、第２の片部５ｃが切り欠き５ｄに案内されて移動し、第１の突起３ａにストッパ５ｅが衝突する位置まで引き出される。
【００１３】
支持体５０は、図５及び図６に示すように、一端部が９０度に折曲された板金で形成され第１の面５１ａ及びこの第１の面５１ａに対して９０度折曲された第２の面５１ｂを有する支持板５１と、フェースプレート２が開いたときに側面壁２５に吸着する磁石５４とを備えている。
支持板５１は、第１の面５１ａの片側に第１の長穴５１ｃが形成されており、第２の面５１ｂには、第１の長穴５１ｃと連続的に第２の長穴５１ｅが形成されている。また、第２の面５１ｂには、磁石５４を係止する穴５１ｄが形成されている。磁石５４は、側面壁２５に吸着するように一面５４ａが露出しており、また第１の面５１ａの裏面に吸着している。
第１の長穴５１ｃは、フェースプレート２の裏面に突出した第２の突起２ａが突出しており、支持板５１は、この第２の突起２ａに第２のナット５５が螺着することで、フェースプレート２に保持されている。第２の長穴５１ｅは、支持板５１が第２の突起２ａに邪魔されずに回動できるように形成された穴である。
【００１４】
第１の蝶板５２は、回転軸５２ａと、片側が支持板５１の裏面に面接触し先端部が回転軸５２ａに回動自在に設けられたＬ字形状の第１の板金５２ｂと、回転軸５２ａに先端部が固定されたＬ字形状の第２の板金５２ｃとから構成されており、支持体５０は、回転軸５２ａを中心にして９０度回動するようになっている。
第２の蝶板５３は、回転軸５３ａと、この回転軸５３ａに先端部が回転自在に設けられているとともに第２の板金５２ｃと同一面状になるように第２の板金５２ｃの端面に接着された第１の板金５３ｂと、回転軸５３ａに縁部が接続されているとともにフェースプレート２の裏面に接着された第２の板金５３ｃとから構成されており、支持体５０は、回転軸５３ａを中心にして１８０度回動するようになっている。第２の板金５３ｃと支持板５１の第１の面５１ａとは同一面である。
【００１５】
次に、上記構成のエレベータのかご操作盤１におけるフェースプレート２の開放手順について図７-図９に基づいて説明する。
フェースプレート２を開放する際は、上記引用文献１に記載されたエレベータのかご操作盤と同じであり、まず作業者がフェースプレート２を矢印に示す手前に引くことで、フェースプレート２は、ヒンジ機構部５の第２の片部５ｃが切り欠き５ｄに案内されて移動し、第１の突起３ａにストッパ５ｅが衝突する位置まで引き出される（図７参照）。
この後、ヒンジ機構部５の回転軸５ａを中心にしてフェースプレート２を９０度回動させて、袖壁２４に対して垂直方向に起立させる（図８参照）。
【００１６】
次に、作業者は、第２のナット５５を第２の突起２ａから外した状態で、第２の板金５３ｃがフェースプレート２に接着された第２の蝶番５３の回転軸５３ａを中心に支持板５１を図９の矢印イに示すように、フェースプレート２上で１８０度回動させる。なお、支持板５１は、第１の長穴５１ｃ及び第２の長穴５１ｅが形成されているので、フェースプレート２の第２の突起２ａにより邪魔されることなく、回動することができる。
引き続き、支持板５１を第１の蝶板５２の回転軸５２aを中心に図９の矢印ロに示すように９０度回動させる。
この結果、支持体５０は、支持板５１が側面壁２５に対して垂直になり、また磁石５４が鋼板で形成された側面壁２５に吸着し、フェースプレート２は、９０度開いた状態が保持される(図９参照)。
この状態で、作業者は、フェースプレート２の裏面側から取付けられた部品（ボタン、インジケータ等）、ボックス３の内部に収納された部品の交換等の保守点検作業を行う。
【００１７】
作業者は、作業終了後は、上述した手順と逆の作業手順でフェースプレート２を元の状態、つまりボックス３を閉じた状態に戻すことができる。
【００１８】
以上説明したように、この実施の形態によるエレベータのかご操作盤１によれば、フェースプレート２の裏面とボックス３の内壁面との間に跨いで設けられ、フェースプレート２をかご室２０の内側に引き出すとともにフェースプレート２を回動させて開口部を開閉するヒンジ機構部５と、フェースプレート２の裏面に設けられ開放されたフェースプレート２を保持する支持体５０と、この支持体５０の一端部に設けられた第１の蝶番５２と、
この第１の蝶番５２に接続された第２の蝶番５３とを備え、支持体５０は、第２の蝶番５３でフェースプレート２の開放方向に１８０度回動し、引き続き同じ方向に第１の蝶番５２で９０度回動して、先端部が側面壁２５に当接するようになっている。
従って、作業者がエレベータのかご操作盤１の保守点検中において、フェースプレート２は、支持体５０により安定した状態で開放されており、保守点検作業性が向上するとともにフェースプレート２の端部が側面壁２５に衝突して側面壁２５を損傷させるといった不都合も無い。
また、フェースプレート２は、側面壁２５に接近している場合でもフェースプレート２を開放することができる。
また、フェースプレート２は、ヒンジ機構部５により、かご室２０の内側に引き出された後に、開放されるので、フェースプレート２のヒンジ機構部５側の端部が袖壁２４の縁部に衝突して袖壁２４を損傷させるようなことはない。
【００１９】
また、支持体５０の他端部には、鋼板製の側面壁２５に吸着する磁石５４が設けられているので、支持体５０は、フェースプレート２をより確実に保持される。
【００２０】
実施の形態２．
図１０（ａ）はこの発明の実施の形態２のエレベータのかご操作盤１の支持体６０を示す平面図、図１０（ｂ）は図１０（ａ）の左側面図、図１０（ｃ）は図１０（ａ）の正面図である。
この実施の形態では、支持体６０は、支持板５１の長手方向に延びた中心線上に第３の長穴５１ｆが形成されている。第１の蝶板５２の第１の板金５２ｂには、穴５２ｄが形成されている。第３の長穴５１ｆ及び穴５２ｄを貫通したボルト６１に、第３のナット６２を螺着することで、支持板５１は、第１の蝶板５２に結合されている。
また、支持体６０は、第２の蝶番５３の回転軸５３ａを中心にフェースプレート２上で１８０度回動するようにするため、第２の蝶板５３の第２の板金５３ｃは、ボルト６１の頭部６１ａの突出高さと同じ厚さである調整板６３を介してフェースプレート２の裏面に接着されている。
ここで、ボルト６１と第３のナット６２とは、支持板５１と第１の蝶板５２とを結合する結合手段を構成している。
他の構成は、実施の形態１のエレベータのかご操作盤１と同じである。
【００２１】
この実施の形態のエレベータのかご操作盤１のフェースプレート２の開放手順については、フェースプレート２の支持板５１による保持までの手順は実施の形態１のエレベータのかご操作盤１と同じである。
【００２２】
この実施の形態のエレベータのかご操作盤１は、図１１に示すように、フェースプレート２を側面壁２５と平行に保持できず、磁石５４が側面壁２５に吸着できない場合に対応できるものである。
このような場合には、作業者は、支持板５１と第１の蝶板５２を結合している第３のナット６２を緩めることで、結合が解除し、この後フェースプレート２を、開放方向に回動させると、支持板５１の第３の長穴５１ｆがガイドとなり、第３のナット６２は、磁石５４側に接近し、９０度まで開ける。このとき、磁石５４は、側面壁２５と面接触し、吸着される。
最後に、第３のナット６２を締め付け、支持板５１を第１の蝶板５２に再度結合することで、図１２のように、フェースプレート２を側面壁２５と平行な位置に設定することができる。
【００２３】
この実施の形態によるエレベータのかご操作盤１によれば、支持板５１と第１の蝶番５２とは、支持板５１の長手方向に延びた長穴５１ｆを介して、結合手段であるボルト６１及び第３のナット６２により結合されているので、ボルト６１の長穴５１ｆに沿った移動によりフェースプレート２の開放角度を簡単に調整することができ、エレベータのかご操作盤１の近くに側面壁２５がある場合でも、支持板５１の位置を調節することで、実施の形態１のエレベータのかご操作盤１と同様の効果を得ることができる。
【００２４】
なお、上記各実施の形態では、支持体５０，６０は、第２の蝶番５３で１８０度回動し、引き続き第１の蝶番５２で９０度回動するようになっているが、それぞれの角度は限定されるものではなく、要は支持体が２段階に分けてフェースプレート２の開放方向に回動し、最終的には、支持体５０，６０の先端部が側面壁２５に当接し、フェースプレート２が開放された状態が安定して保持されるものであればよい。
【符号の説明】
【００２５】
１  かご操作盤、２  フェースプレート、２ａ  第２の突起、３  ボックス、４  インジ部、５  ヒンジ機構部、５ａ  回転軸、５ｂ  第１の片部、５ｃ  第２の片部、５ｄ  切り欠き、５ｅ  ストッパ、６  カバー、７  第１のナット、５０，６０  支持体、５１  支持板、５１ａ  第１の面、５１ｂ  第２の面、５１ｃ  第１の長穴、５１ｄ  穴、５１ｅ  第２の長穴、５１ｆ  第３の長穴、５２  第１の蝶番、５２ａ  回転軸、５２ｂ  第１の板金、５２ｃ  第２の板金、５３  第２の蝶番、５３ａ  回転軸、５３ｂ  第１の板金、５３ｃ  第２の板金、５４  磁石、５４ａ  一面、５５  第２のナット、６１  ボルト、６１ａ  頭部、６２  第３のナット、６３  調整板、２０  かご室、２１  天井、２２  かご床、２３  扉、２４  袖壁、２５  側面壁。
【図１】
2012166919.tif 000003
【図２】
2012166919.tif 000004
【図３】
2012166919.tif 000005
【図４】
2012166919.tif 000006
【図５】
2012166919.tif 000007
【図６】
2012166919.tif 000008
【図７】
2012166919.tif 000009
【図８】
2012166919.tif 000010
【図９】
2012166919.tif 000011
【図１０】
2012166919.tif 000012
【図１１】
2012166919.tif 000013
【図１２】
2012166919.tif 000014